(57)【特許請求の範囲】
【請求項１】
光軸方向において最も撮影者側に位置する第１のレンズと、前記光軸方向において前記第１のレンズより被写体側に位置する視野マスクと、前記光軸方向において前記視野マスクより被写体側に位置する第２のレンズと、前記第１のレンズ及び前記視野マスク及び前記第２のレンズを保持する保持部材と、を有するファインダー装置であって、
前記光軸方向において前記第１のレンズは撮影者側から前記保持部材に取り付けられており、
前記視野マスクの撮影者側の第１の開口部の開口径は、前記視野マスクの被写体側の第２の開口部の開口径より大きく、
前記光軸を含む断面内において前記第１のレンズの外縁は、前記外縁を構成する稜線を始点として被写体側に向い前記光軸からの前記光軸直交方向の距離が小さくなる第１のテーパー面と前記稜線を始点として撮影者側に向い前記光軸からの前記光軸直交方向の距離が小さくなる第２のテーパー面にて構成されており、
前記光軸を含む断面内において前記稜線は、前記光軸を含む断面内において前記視野マスクの撮影者側の第１の開口部の開口端と前記視野マスクの被写体側の第２の開口部の開口端を結んだ直線を撮影者側に延長した直線と前記第２のテーパー面との交点よりも前記光軸方向において被写体側に位置することを特徴とするファインダー装置。
【請求項２】
前記第１のレンズの被写体側のレンズ面の形状は、被写体側に向い凹形状である請求項１に記載のファインダー装置。
【請求項３】
前記第１のレンズより撮影者側に接眼枠を有し、前記接眼枠の開口部の開口端の光軸までの距離は、前記第２の開口部の開口端の光軸までの距離よりも短いことを特徴とする請求項１又は２に記載のファインダー装置。
【請求項４】
請求項１乃至３の何れか一項に記載のファインダー装置を有する撮像装置。
【発明の詳細な説明】
【技術分野】
【０００１】
本発明は、撮像装置のファインダー装置及びそれを用いた撮像装置に関し、特に、接眼レンズで発生する不要な反射光の防止に関する発明である。
【背景技術】
【０００２】
従来よりファインダー装置を備えた撮像装置が多く提案されている。
【０００３】
ファインダー装置を用いて撮影を行うことで、太陽や照明器具などの明るい光源下でも撮影者は被写体像を確実に観察することが出来る。しかし、このような明るい光源から発せられた光がファインダー接眼部からファインダー光路内に入射し、内部のレンズで反射し、ゴースト光となって撮影者の視野に入ってしまう事がある。そのような場合、撮影者は被写体像の観察が困難になり、撮影動作に支障をきたしてしまう。
【０００４】
このような被写体像の観察を妨げるゴースト光の発生を抑制する様々な発明が提案されている。
【０００５】
例えば、特許文献１では、遮光シート材、遮光性塗料、遮光性部材の印刷により、ファインダー装置を構成する接眼レンズの周辺光束を遮光する発明が開示されている。
【０００６】
また、特許文献２では、ファインダー装置の接眼側のファインダー開口部の縁に突出部を設けることで不要光を遮光する発明が開示されている。
【先行技術文献】
【特許文献】
【０００７】
【特許文献１】特開２００２−８２３７０号公報
【特許文献２】特開平８−２２０５９７号公報
【発明の概要】
【発明が解決しようとする課題】
【０００８】
特許文献１に示された従来技術では、薄い遮光シート材の組み付けや遮光性塗料、遮光性部材の印刷を行うことを想定しており、製造時の作業負荷が増えてしまう。また、部品費や塗装費などのコストの増加にもつながる。
【０００９】
また、特許文献２に示された従来技術では、ファインダー開口部の縁に突起が設けられるため、カメラが大型化につながる。また、突起部分があることで、アイカップやアングルファインダーなどのファインダー装置に取り付けられるアクセサリーの仕様に制限が出てきてしまう。
【００１０】
そこで、本発明の目的は、薄い遮光シート材の組み付けや遮光性塗料、遮光性部材の印刷の工程追加やファインダー接眼部の大型化を行わずに、有害なゴースト光の発生を抑制し、良好な視認性を確保したファインダー装置を有する撮像装置を提供する事である。
【課題を解決するための手段】
【００１１】
そこで、本発明は、光軸方向において最も撮影者側に位置する第１のレンズと、前記光軸方向において前記第１のレンズより被写体側に位置する視野マスクと、前記光軸方向において前記視野マスクより被写体側に位置する第２のレンズと、前記第１のレンズ及び前記視野マスク及び前記第２のレンズを保持する保持部材と、を有するファインダー装置であって、
前記光軸方向において前記第１のレンズは撮影者側から前記保持部材に取り付けられており、
前記視野マスクの撮影者側の第１の開口部の開口径は、前記視野マスクの被写体側の第２の開口部の開口径より大きく、
前記光軸を含む断面内において前記第１のレンズの外縁は、前記外縁を構成する稜線を始点として被写体側に向い前記光軸からの前記光軸直交方向の距離が小さくなる第１のテーパー面と前記稜線を始点として撮影者側に向い前記光軸からの前記光軸直交方向の距離が小さくなる第２のテーパー面にて構成されており、
前記光軸を含む断面内において前記稜線は、前記光軸を含む断面内において前記視野マスクの撮影者側の第１の開口部の開口端と前記視野マスクの被写体側の第２の開口部の開口端を結んだ直線を撮影者側に延長した直線と前記第２のテーパー面との交点よりも前記光軸方向において被写体側に位置することを特徴とする。
【発明の効果】
【００１２】
本発明によれば、良好な視認性を確保し、遮光用の工程を追加せずに不要光を防止することが可能な撮像装置を提供することができる。
【図面の簡単な説明】
【００１３】
【図１】接眼レンズの詳細図である。
【図２】カメラシステムの第１の構成図である。
【図３】カメラシステムの第２の構成図である。
【図４】カメラ機能の構成ブロック図である。
【図５】ファインダー装置の斜視図である。
【図６】ファインダー装置の斜視図である。
【図７】ファインダー装置の斜視図である。
【図８】レンズの詳細図である。
【図９】従来のファインダー装置の縦断面図である。
【発明を実施するための形態】
【００１４】
以下、本発明の実施形態の撮像装置の一例として、デジタル一眼レフカメラシステムの構成を図２から図４を参照しながら説明する。
【００１５】
図２及び図３は本実施形態におけるカメラシステムの構成を示す概略断面図であり、カメラ本体（撮像装置）１０１と、カメラ本体１０１に着脱可能に装着されるレンズ装置１０２とを有している。図２は光学ファインダー（ＯＶＦ）で被写体を観察する場合のカメラシステムの状態を示している。この図２に示す状態を、以下、「光学ファインダーモード（ＯＶＦモード）」と呼ぶ。
【００１６】
また、図３はカメラ本体１０１の背面に取り付けられたディスプレイユニット１０７（表示手段）に被写体の画像を逐次表示する電子ファインダ（ＥＶＦ）機能を用いて、被写体を観察可能にした場合のカメラシステムの状態を示している。
【００１７】
この図３に示す状態を、以下、「電子ファインダーモード（ＥＶＦモード）」と呼ぶ。
【００１８】
レンズ装置１０２内には、フォーカスレンズ（不図示）を含む撮影光学系１０３（撮影レンズ）および露光量を調節するための絞り１０４が設けられている。レンズ装置１０２は、公知のマウント機構を介してカメラ本体１０１に電気的、機械的に接続される。焦点距離の異なるレンズ装置１０２をカメラ本体１０１に装着することによって、様々な画角の撮影画面を得ることが可能である。また、レンズ装置１０２では、不図示の駆動機構を介して撮影光学系１０３の一部の要素であるフォーカスレンズを光軸Ｌ１方向に移動させることで、撮影光学系１０３の焦点調節を行う。
【００１９】
カメラ本体１０１は、ＣＣＤセンサあるいはＣＭＯＳセンサなどの撮像素子１０６を用いた単板式のデジタルカラーカメラであり、撮像素子１０６を連続的または単発的に駆動して、動画像または静止画像を表わす画像信号を得る。なお、撮像素子は、露光した光を画素毎に電気信号に変換して受光量に応じた電荷を蓄積し、蓄積された電荷を読み出すタイプのエリアセンサである。撮像素子１０６はパッケージ１１０に収納されている。
【００２０】
また、撮影光学系１０３から撮像素子１０６に至る光路中には、撮像素子１０６上に被写体像（光学像）の必要以上に高い空間周波数成分が伝達されないように撮影光学系１０３のカットオフ周波数を制限する光学ローパスフィルタ１５６が設けられている。
【００２１】
撮像素子１０６として、例えば、正方画素が合計約１０００万個の画素数を有する撮像素子を用いることができる。そして、各画素にＲ（赤色）Ｇ（緑色）Ｂ（青色）のカラーフィルタが交互に配して４画素が一組となる、いわゆるベイヤー配列を構成している。ベイヤー配列では、観察者が画像を見たときに強く感じやすいＧの画素をＲやＢの画素よりも多く配置することで、総合的な画像性能を上げている。
【００２２】
一般に、この方式の撮像素子を用いる画像処理では、輝度信号は主にＧから生成し、色信号はＲ、Ｇ、Ｂから生成する。なお、画素数及びカラーフィルタの種類は上記に限るものではなく、公知のものを適宜使用可能であることは言うまでもない。
【００２３】
また、撮像素子１０６を増幅型固体撮像素子の１つであるＣＭＯＳプロセスコンパチブルのセンサ（以降、「ＣＭＯＳセンサ」と略す。）で構成した場合、以下のような特徴を有することができる。即ち、エリアセンサ部のＭＯＳトランジスタと撮像素子駆動回路、Ａ／Ｄ変換回路、画像処理回路といった周辺回路を同一工程で形成できるため、マスク枚数、プロセス工程がＣＣＤと比較して大幅に削減できるという利点がある。また、任意の画素へのランダムアクセスが可能といった特長も有し、ディスプレイ用に間引いた読み出しが容易であって、ディスプレイユニット１０７において高い表示レートでリアルタイム表示を行うことができる。
【００２４】
撮像素子１０６から読み出された信号は、後述するように所定の処理が施された後、画像データとしてディスプレイユニット１０７上に表示される。ディスプレイユニット１０７はカメラ本体１０１の背面に取り付けられており、使用者はディスプレイユニット１０７での表示を直接観察できるようになっている。
【００２５】
撮像素子１０６は、上述した特長を利用し、ディスプレイの低精細の画像出力動作（撮像素子１０６の受光領域のうち、一部を間引いた領域からの読み出し）及びディスプレイの高精細の画像出力動作（全受光領域からの読み出し）の両方の動作を行うことができる。また、撮像素子１０６の出力を用いたコントラスト検出方式による焦点調節も行うことができる。
【００２６】
１１１は可動型のハーフミラーであり、撮影光学系１０３を介して入射する被写体光学像の光束のうち一部を反射させるとともに、残りを透過させ、一つの光路を二つの光路に分割する。１０５は撮影光学系１０３によって形成される被写体像の予定結像面に配置されたフォーカシングスクリーン、１１２は内側にミラーが蒸着された中空ペンタミラー
である。１０９はフォーカシングスクリーン１０５上に形成された被写体像を観察するためのファインダーレンズであり、
一般的には、複数枚のレンズで構成されている。フォーカシングスクリーン１０５、中空ペンタミラー１１２およびファインダーレンズ１０９は、ファインダー光学系を構成する。１８０は、フォーカシングスクリーン１０５上に特定の情報を表示させるための光学ファインダー内の情報表示ユニットである。
【００２７】
ハーフミラー１１１の背後（像面側）には可動型のサブミラー１２２が設けられ、ハーフミラー１１１を透過した光束のうち、光軸Ｌ１に近い光束を反射させて焦点検出ユニット（焦点検出手段）１２１に導いている。また、サブミラー１２２は、不図示の駆動機構によりハーフミラー１１１と連動して、撮影光路に対して進退可能となっている。即ち、可動ミラーであるハーフミラー１１１及びサブミラー１２２は、ＯＶＦモード時には図２に示す位置（第１の位置）、ＥＶＦモード時には図３に示す位置（第２の位置）の２通りのいずれかを選択的にとることができる。
【００２８】
焦点検出ユニット１２１は、サブミラー１２２からの被写体光学像を受光して位相差検出方式による焦点検出を行う。
【００２９】
１１３は像面に入射する光量を調節するフォーカルプレンシャッタで、複数の遮光羽根で構成された先幕と後幕を有する。カメラ本体１０１にはカメラ本体を起動させるための不図示のメインスイッチがある。
【００３０】
不図示のレリーズボタンは、２段階で押圧操作され、半押し操作（スイッチＳＷ１のＯＮ）で撮影準備動作（測光動作や焦点調節動作等）が開始される。更に、全押し操作（スイッチＳＷ２のＯＮ）で撮影動作（フォーカルプレンシャッタ１１３の走行と、撮像素子１０６の露光及び電荷信号の読み出し、及び電荷信号を処理して得られた画像データの記録媒体への記録）が開始される。
【００３１】
不図示のファインダーモード切り換えスイッチがあり、スイッチを押す度に被写体像の観察モードとして、ＯＶＦモードとＥＶＦモード間の切り換えを行うことができる。またメニュー画面からＯＶＦモードとＥＶＦモード間の切り換えを行うことも可能である。
【００３２】
図４は、図２及び図３に示すデジタルカラーカメラの概略機能構成を示すブロック図である。なお、図２及び図３と同じ構成には同じ参照番号を付し、説明を省略する。
【００３３】
まず、被写体像の撮像、記録に関する部分から説明する。
【００３４】
本実施の形態のカメラシステムは、撮像系、画像処理系、記録再生系及び制御系を有する。撮像系は、撮影光学系１０３および撮像素子１０６を有し、画像処理系は、Ａ／Ｄ変換器１３０、ＲＧＢ画像処理回路１３１およびＹＣ処理回路１３２を有する。また、記録再生系は、記録処理回路１３３および再生処理回路１３４を有し、制御系は、カメラシステム制御回路１３５、操作検出回路１３６、撮像素子駆動回路１３７、ＡＦ制御回路１４０、レンズシステム制御回路１４１を有する。
【００３５】
１３８は、外部のコンピュータや記憶媒体等に接続され、データの送受信を行うために規格化された接続端子である。上述した電気回路は、不図示の小型電池からの電力供給を受けて駆動する。
【００３６】
撮像系は、被写体からの光を撮影光学系１０３を介して撮像素子１０６の撮像面に結像させる光学処理系である。レンズ装置１０２内に設けられた絞り１０４の駆動を制御するとともに、必要に応じてフォーカルプレンシャッタ１１３の駆動を制御することによって、適切な光量の被写体光を撮像素子１０６に受光させることができる。
【００３７】
撮像素子１０６から読み出された信号は、Ａ／Ｄ変換器１３０を含む画像処理系に供給される。この画像処理系での画像処理によって画像データが生成される。Ａ／Ｄ変換器１３０は、撮像素子１０６の各画素から読み出された信号の振幅に応じて、例えば撮像素子１０６の出力信号を、例えば１０ビットのデジタル信号に変換して出力する信号変換回路であり、以降の画像処理はデジタル処理にて実行される。画像処理系は、Ｒ、Ｇ、Ｂのデジタル信号から所望の形式の画像信号を得る信号処理回路であり、Ｒ、Ｇ、Ｂの色信号を輝度信号Ｙおよび色差信号（Ｒ−Ｙ）、（Ｂ−Ｙ）にて表わされるＹＣ信号などに変換する。
【００３８】
ＲＧＢ画像処理回路１３１は、Ａ／Ｄ変換器１３０の出力信号を処理する信号処理回路であり、ホワイトバランス回路、ガンマ補正回路、補間演算による高解像度化を行う補間演算回路を有する。
【００３９】
ＹＣ処理回路１３２は、輝度信号Ｙおよび色差信号Ｒ−Ｙ、Ｂ−Ｙを生成する信号処理回路である。このＹＣ処理回路１３２は、高域輝度信号ＹＨを生成する高域輝度信号発生回路、低域輝度信号ＹＬを生成する低域輝度信号発生回路、及び、色差信号Ｒ−Ｙ、Ｂ−Ｙを生成する色差信号発生回路を有している。輝度信号Ｙは、高域輝度信号ＹＨと低域輝度信号ＹＬを合成することによって形成される。なお、ＹＣ処理回路１３２から出力される輝度信号Ｙ及び色差信号Ｒ−Ｙ、Ｂ−Ｙ（クロマ信号）を合わせて、以降「ＹＣ信号」と呼ぶ。
【００４０】
記録再生系は、不図示のメモリや外部コンピュータや外部記憶媒体への画像信号の出力と、ディスプレイユニット１０７への画像信号の出力とを行う処理系である。記録処理回路１３３はメモリや外部コンピュータや外部記憶媒体への画像信号の書き込み処理及び読み出し処理を行い、再生処理回路１３４はメモリや外部コンピュータや外部記録媒体から読み出した画像信号を再生して、ディスプレイユニット１０７に出力する。なお、メモリから読み出す画像信号は、撮影された画像だけではなく、使用者がカメラの各種設定をするために予め用意された表示画面用の画像であってもよい。
【００４１】
また、記録処理回路１３３は、ＹＣ処理回路１３２から出力される、静止画データおよび動画データを表わすＹＣ信号を所定の圧縮形式にて圧縮するとともに、圧縮されたデータを伸張する圧縮伸張回路を内部に有する。圧縮伸張回路は、信号処理のためのフレームメモリなどを有しており、このフレームメモリにＹＣ処理回路１３２からのＹＣ信号をフレーム毎に蓄積し、各フレームのＹＣ信号を複数のブロック毎に読み出して圧縮符号化する。
【００４２】
再生処理回路１３４は、ＹＣ信号をマトリクス変換して、例えばＲＧＢ信号等のディスプレイユニット１０７に適した信号に変換する回路である。再生処理回路１３４によって変換された信号はディスプレイユニット１０７に出力され、可視画像として表示（再生）される。
【００４３】
一方、制御系における操作検出回路１３６は、不図示のメインスイッチ、レリーズボタン、ファインダーモード切り換えスイッチ、その他各種スイッチの操作を検出する。そして、この検出結果をカメラシステム制御回路１３５に出力する。カメラシステム制御回路１３５は操作検出回路１３６からの検出信号を受け、検出結果に応じて撮像系、画像処理系、記録再生系をそれぞれ制御する。例えば、レリーズボタンの操作によってスイッチＳＷ２がＯＮとなった場合、ハーフミラー１１１やサブミラー１２２の駆動、フォーカルプレンシャッタ１１３の駆動の制御を行う。
【００４４】
更に、焦点検出ユニット１２１で得られた焦点検出領域での検出信号を処理するＡＦ制御回路１４０の動作のほか、撮像素子１０６の駆動、ＲＧＢ画像処理回路１３１の動作、記録処理回路１３３の圧縮処理などを制御する。
【００４５】
カメラシステム制御回路１３５は、撮像動作を行う際のタイミング信号を生成して、撮像素子駆動回路１３７に出力する。撮像素子駆動回路１３７は、カメラシステム制御回路１３５からの制御信号を受けることで撮像素子１０６を駆動するための駆動信号を生成する。情報表示回路１３９は、カメラシステム制御回路１３５からの制御信号を受けて光学ファインダー内の情報表示ユニット１８０の駆動を制御する。
【００４６】
次に、レンズ装置１０２内の構成について説明する。レンズシステム制御回路１４１は、レンズ駆動回路１４２を介して、撮影光学系１０３に含まれるフォーカスレンズを合焦位置に移動するための制御を行う。また、レンズシステム制御回路１４１は、絞り駆動回路１４３を介して、撮影動作時の被写体輝度に応じて絞り１０４の駆動制御を行う。レンズシステム制御回路１４１は、レンズ装置１０２側の通信接点１０２ａおよびカメラ本体１０１側の通信接点１０１ａを介して、カメラ本体１０１内のカメラシステム制御回路１３５と相互に通信可能となっている。レンズシステム制御回路１４１は、レンズ装置１０２の種類や焦点距離等をカメラシステム制御回路１３５に通知する。
【００４７】
カメラ本体１０１がＯＶＦモード（図２に示す状態）の場合、レンズ装置１０２の絞り１０４は開放状態に制御される。また、ハーフミラー１１１及びサブミラー１２２は、撮影光路上の第１の位置にあり、フォーカルプレンシャッタ１１３の先幕及び後幕は不図示の電磁モータとギア列からなるシャッタチャージ機構により、チャージされる。チャージすることで先幕は閉じた状態、後幕は開いた状態となる。
【００４８】
したがって、撮像素子１０６は露光されない。撮影光学系１０３から入射した被写体光学像の光束は、ハーフミラー１１１で反射してファインダー光学系に導かれるとともに、ハーフミラー１１１を透過した光束はサブミラー１２２で反射して焦点検出ユニット１２１に導かれる。従って、ファインダーレンズ１０９を介して被写体光学像を観察可能であるとともに、焦点検出ユニット１２１において焦点検出を行わせることができる（ＯＶＦモードでの撮影スタンバイ）。通常、メインスイッチがオフされたとき、及びメインスイッチがオンした直後は、このＯＶＦモードとなる。
【００４９】
図３に示すＥＶＦモードでは、ハーフミラー１１１及びサブミラー１２２は、撮影光路から退避した第２の位置にあり、撮影光学系１０３からの光束がダイレクトに撮像素子１０６に導かれる。この状態で、撮像素子１０６で連続的に被写体像の撮像動作を行い、得られた電荷を撮像素子１０６からディスプレイ用に間引いた読み出しを行って、ディスプレイユニット１０７に逐次表示することで、リアルタイム表示する。これにより、撮影者はディスプレイユニット１０７に表示された被写体像を確認しながら、構図を決めることができる。
【００５０】
このＥＶＦモードでは、焦点検出ユニット１２１を使用せず、撮像素子１０６の出力を用いたコントラスト検出方式による焦点検出を行わせることができる（ＥＶＦモードでの撮影スタンバイ）。
【００５１】
図５、図６及び図７は、本発明の実施形態である一眼レフカメラに備えられているファインダー装置の構成の概略図を示している。図５は上記ファインダー装置の斜視図であり、図６は上記ファインダー装置の接眼レンズ部分の縦断面図、図７は上記ファインダー装置の接眼レンズ部分の横断面図である。
【００５２】
これらの図において、２００はファンダー光学系を構成するレンズを保持する第１のレンズ保持部材、２０１はフォーカシングスクリーン１０５の位置を調節するピントワッシャ、２０２はフォーカシングスクリーンを第１のレンズ保持部材２００に保持するバネ部材である。
【００５３】
２０３は視野枠であり撮影レンズ１０２を透過した被写体像がハーフミラー１１１の反射を介してファインダー光学系に入射する際の、ファインダー光束の視野サイズを制限している。２０４はミラーで、中空ペンタミラー１１２とともに像反転を行い、視野枠２０３を透過した被写体像を撮影者の眼球方向に折り曲げ正立像にしている。２０５は中空ペンタミラー１１２を第１のレンズ保持部材２００に固定保持するためのバネ部材で、中空ペンタミラー１０２の突起をバネ部材２０５とビスで押える事で固定している。
【００５４】
１０９−１はファインダー光学系の第１のレンズであり第１のレンズ保持部材２００に対して、上方から組み込まれて接着固定されている。１０９−２はファインダー光学系の第２のレンズであり、第２のレンズ保持部材２０８に接着保持されている。第２のレンズ保持部材２０８は、軸２０６と嵌合するための穴と第２のレンズを撮影者側に付勢するバネ２０７を案内する軸を一体的に形成している。軸２０６が第１のレンズ保持部材２００に設けられた嵌合穴と第２のレンズ保持部材２０８の嵌合穴に嵌合することで、第２のレンズ保持部材２０８はファインダー光軸Ｌａ方向にスライドする構成となっている。
【００５５】
ギアとカム２０９を介して、第２のレンズ保持部材２０８に保持された第２のレンズ１０９−２がファインダー光軸Ｌａ方向に移動することにより任意の位置へ視度（ファインダー視度）が調整できる。１０９−３はファインダー光学系の第３のレンズで第１のレンズ保持部材２００に接着固定される。２１０は視野マスクであり、不要光をカットしてファインダーゴーストの発生を抑制する。１０９−４は第４のレンズであり、第１のレンズ保持部材２００に接着固定される。２１１は接眼枠であり、第１のレンズ保持部材２００にビスで固定される。２１１ａは接眼枠２１１に設けられた接眼開口部である。
【００５６】
アイカップ２１２は接眼枠２１１に設けられた不図示のレール溝に挿入することで装着でき、撮影者の使用感を向上させる部材である。
【００５７】
尚、第２レンズ１０９−２のファインダー光軸Ｌａ方向の移動機構は、上記方法に限らずどのような方法であっても良い。
【００５８】
又、ファインダー光学系としては１０９−１、１０９−２、１０９−３、１０９−４の他にレンズを含む構成であっても良いし、レンズの数が４枚より少ない構成でも良い。
【００５９】
図１は第４のレンズ１０９−４と第１のレンズ保持部材２００の接眼枠２１１の詳細形状を示している。
【００６０】
第３のレンズ１０９−３は撮影者側（図１の右側）から第１のレンズ保持部材２００に組み込まれて、接着固定される。視野マスク２１０も同様に撮影者側から第１のレンズ保持部材２００に組み込まれて接着固定される。
【００６１】
視野マスク２１０は被写体側（図１の左側）の開口部２１０ａと撮影者側の開口２１０部ｂを有し、撮影者側の開口部２１０ｂの開口端は、被写体側の開口部２１０ａの開口端よりファインダー光軸Ｌａとの距離が離れている。つまり、視野マスク２１０の開口部は撮影者側に行くにしたがって、開いていくようなテーパー状となっており、視野マスク２１０の撮影者側の第１の開口部２１０ｂの開口径は、視野マスク２１０の被写体側の第２の開口部２１０ａの開口径より大きくなっている。
【００６２】
なお、視野マスク２１０は樹脂材料を金型で成型することで作成される。テーパー面は金型の傾斜形状が転写された形である。
【００６３】
第４のレンズ１０９−４も撮影者側から第１のレンズ保持部材２００に組み込まれて、接着固定される。第４のレンズ１０９−４は撮影者側から第１のレンズ保持部材２００に取り付けられている。
【００６４】
第４のレンズ１０９−４の上下の側面は、撮影者側に向かって開いていくような第１のテーパー面１０９−４ｂと、撮影者側に向かってすぼまっていくような第２のテーパー面１０９−４ａを有する。第１のテーパー面１０９−４ａと第２のテーパー面１０９−４ｂの交線は稜線を形成しているエッジ１０９−４ｃである。一般的に第４のレンズ１０９−４のような形状の部品は被写体側と撮影者側に分かれる金型で作成されることが多く、エッジ１０９−４ｃはその際のパーティングラインとなる。本実施例における第４のレンズ１０９−４は所定の光学特性を満足する樹脂を用いて、前述するように金型で成型されている。
【００６５】
視野マスク２１０の開口２１０ａと２１０ｂを結んだ線が第４のレンズ１０９−４の側面と交わる点が１０９−４ｆである。図１から明らかなようにエッジ１０９−４ｃは点１０９−４ｆ、つまり、視野マスク２１０の開口２１０ａと２１０ｂを結んだ線より被写体側に位置している。このような構成にしておくことで、必然的に第４のレンズ１０９−４のエッジ１０９−４ｃが視野マスク２１０の開口に対して、距離が確保されるので、被写体側からの入射光Ｒが第４のレンズ１０９−４のテーパー面１０９−４ａ、１０９−４ｂで反射した場合でも、視野マスク２１０で入射光Ｒがカットされ、第３のレンズ１０９−３の撮影者側の面１０９−３Ｒ２で反射して、ゴースト光となることを防ぐ事が出来る。
【００６６】
言い換えると、光軸Ｌａを含む断面内において第１のレンズ１０９−４の外縁は、外縁を構成する被写体側に向い光軸Ｌａからの光軸直交方向の距離が小さくなる第１のテーパー面１０９−４ａと外縁を構成する第１のテーパー面１０９−４ａと交わる稜線１０９−４ｃから撮影者側に向い光軸Ｌａからの光軸直交方向の距離が小さくなる第２のテーパー面１０９−４ｂにて構成されている。
【００６７】
光軸Ｌａを含む断面内において稜線１０９−４ｃは、光軸を含む断面内において視野マスク２１０の撮影者側の第１の開口部２１０ｂの開口端と視野マスク２１０の被写体側の第２の開口部２１０ａの開口端を結んだ直線を撮影者側に延長した直線と第２のテーパー面１０９−４ａとの交点よりも光軸方向において被写体側に位置している。
【００６８】
また、図１に入射光Ｒ’で示しされるように、光軸Ｌａに対して入射光Ｒの入射角度θ１よりも大きな入射角度θ２を持って入射してくる光線は、接眼開口２１１ａによってカットされる。よって、接眼開口２１１ａも第４のレンズ１０９−４のテーパー面１０９−４ａ、１０９−４ｂにて光線が反射することによるゴーストの防止に寄与している。
【００６９】
なお、図１から明らかなように、接眼枠２１１の接眼開口２１１ａは視野マスク２１０の第２の開口部２１０ａより光軸Ｌａまでの距離が近い。接眼枠２１１の接眼開口２１１ａの光軸側の開口端２１１ｂと光軸Ｌａの光軸直交方向の距離を短くすることによって、接眼枠２１１からの不要な入射光を減らすことが可能である。
【００７０】
つまり、第４のレンズ１０９−４より撮影者側に接眼枠２１１を有し、接眼枠２１１の開口部２１１ａの開口端２１１ｂの光軸Ｌａまでの距離は、第２の開口部２１０ａの開口端の光軸Ｌａまでの距離よりも短い。なお、接眼枠２１１は樹脂で成型されており、光線を反射しにくい材料色や表面形状を持っている。
【００７１】
なお、第４のレンズ１０９−４の左右方向の側面は図７に示されるように光軸Ｌａから十分な距離が確保されており、ゴーストの発生源とはならない。
【００７２】
本実施例において、第４のレンズ１０９−４の被写体側の面１０９−４Ｒ１は、被写体側に向って凹形状となっており、上記光軸Ｌａから第４のレンズ１０９−４の側面の距離を確保する上では有利な構成である。
【００７３】
その理由の１つは、撮影者側からレンズ面１０９−４Ｒ１に入射した入射光Ｒは、負のパワーを受けて、光軸Ｌａに対して外側に遠ざかるように発散してゆくので、入射光Ｒは視野マスク２１０にカットされ、ゴースト光となることを防ぐ事が出来るためである。
【００７４】
以下に、図８を用いて説明する。図８（ａ）は第４のレンズ１０９−４の被写体側の面１０９−４Ｒ１が凸形状になった場合、図８（ｂ）は第４のレンズ１０９−４の被写体側の面１０９−４Ｒ２が凹形状になった場合の形状を表している。
【００７５】
被写体側の面１０９−４Ｒ１が凸形状の場合、部品成型時のパーティングラインであるエッジ１０９−４ｃの位置は第４のレンズ１０９−４の側面１０９−４ｄと被写体側の面１０９−４Ｒ１の交わる点１０９−４ｅから所定のクリアランスを取った位置に設定される。そのためＳＥＣＴＩＯＮ  Ａ−Ａに示されるように、レンズ中央断面においては相対的に第１のテーパー面１０９−４ａに対する第２のテーパー面１０９−４ｂの大きさが大きくなり、光軸Ｌａと第１および第２のテーパー面１０９−４ａ、ｂの距離を確保することが難しくなる。
【００７６】
距離とは、光軸Ｌａと直交する方向における第１のテーパー面１０９−４ａと第２のテーパー面１０９−４ｂの交線は稜線を形成しているエッジ１０９−４ｃと光軸Ｌａを意味する。
【００７７】
そこで、図８（ｂ）に示すように被写体側の面１０９−４Ｒ１を凹形状とすることで、１０９−４ａに対して１０９−４ｂの大きさを大幅に小さくすることが可能となり、光軸Ｌａと第１および第２のテーパー面１０９−４ａ、ｂの距離を確保することが可能となり、有害なゴースト光の発生を抑制する上で有利である。
【００７８】
なお、従来構成および本実施例において、第４のレンズ１０９−４下部には部品成型時のゲートである突起１０９−４ｇが設けられている。突起１０９−４ｇを除けば、第４のレンズ１０９−４は光軸に対して上下対称形状である。突起１０９−４ｇは光軸Ｌａに対して、テーパー面１０９−４ａ、１０９−４ｂより距離が離れているため、１０９−４ｇで反射した入射光がゴースト光にはなりにくい。
【００７９】
図９は、従来の構成でのファインダー装置の縦断面図である。本発明の実施例と同等の部品は同じ番号で示している。以下で本発明の実施例と異なる箇所のみ説明する。
【００８０】
従来の構成では、第３のレンズ１０９−３、第４のレンズ１０９−４および視野マスク２１０は被写体側から接眼枠２１１に組み込まれて接着固定される。この際、第４のレンズ１０９−４と接眼枠２１１の隙間Ｘに接着材が充填される。第４のレンズ１０９−４が撮影者側から静圧を受けた際の接着強度を確保するため、隙間Ｘは十分に広い容積が確保されている。
【００８１】
このため、第４のレンズ１０９−４の第１のテーパー面１０９−４ｂは光軸Ｌａとの距離が近くなってしまう。図９から明らかなように、視野マスク２１０の開口２１０ａ、２１０ｂを結んだ線に対して、第４のレンズ１０９−４のエッジ１０９−４ｃおよび第１、第２のテーパー面１０９−４ａ、ｂは被写体側ではなく、撮影者側に位置している。
【００８２】
このため、撮影者側から入射してきた光線Ｒは、第１のテーパー面１０９−４ｂで反射した後、第３のレンズの撮影者側の面１０９−３Ｒ２で反射して、ゴーストとして撮影者の視野内に侵入してしまう。よって、従来の構成のファインダーでは第４のレンズ１０９−４の第１、第２のテーパー面１０９−４ｂ、１０９−４ｂに反射防止塗装などを追加して、入射光の反射を抑えることが必要になってしまう。
【００８３】
また、この従来例では、不図示の第１のレンズ１０９−１は第１のレンズ保持部材２００に、第２のレンズ１０９−２は第２のレンズ保持部材２０８に、第３、第４のレンズ１０９−３、１０９−４は接眼枠２１１に固定されているため、各レンズの光軸間にずれが生じやすく、ファインダーの表示品質が損なわれる可能性がある。
【００８４】
図５、図６、図７に示した本発明における実施例の構成では、可動する第２のレンズ以外の第１、第３、第４のレンズが第１のレンズ保持部材２００に位置決め固定されるため、レンズ間の光軸をそろえることが比較的容易であり、ファインダーの表示品質を高めることが可能である。
【００８５】
また、第４のレンズ１０９−４は第１のレンズ保持部材２００に対して撮影者側から組み込まれるため、撮影者が第４のレンズ１０９−４に荷重をかけてしまった場合でも、第１のレンズ保持部材２００によって支えられることになる。従来の構成の接着材のみによる固定と比べて、組立作業のバラツキに起因する強度のバラツキは格段に少ないので、安定した強度を持ったファインダー装置を量産することが出来る。
【００８６】
また、不要光の入射を制限するために、外観部に突起を設けるようなことも行っていないので、接眼部に装着されるアクセサリーに制限を及ぼすようなこともない。
【符号の説明】
【００８７】
１０９−１  ファインダー光学系の第１のレンズ
１０９−２  ファインダー光学系の第２のレンズ
１０９−３  ファインダー光学系の第３のレンズ
１０９−４  ファインダー光学系の第４のレンズ
１１２  中空ペンタミラー
１８０  光学ファインダー内の情報表示ユニット
２００  第１のレンズ保持部材
２０３  視野枠
２０５  バネ部材
２０６  軸
２０７  バネ
２１０  接眼枠
２１１  アイカップ
【図１】
0005921253.tif 000002
【図２】
0005921253.tif 000003
【図３】
0005921253.tif 000004
【図４】
0005921253.tif 000005
【図５】
0005921253.tif 000006
【図６】
0005921253.tif 000007
【図７】
0005921253.tif 000008
【図８】
0005921253.tif 000009
【図９】
0005921253.tif 000010